(57)【要約】【課題】  ライダーがサイクルコンピュータにデータを入力するためのタッチパネルを備えるサイクルコンピュータ表示装置を提供する。【解決手段】    サイクルコンピュータは、ビジュアルイメージを生成するための表示スクリーンと、ビジュアルイメージを選択的に制御するコントローラと、タッチパネルと、を備える。タッチパネルのセンサ領域は表示スクリーンに生成されるイメージと関連付けられる。好ましくは、コントローラは、異なるサイズのボタンイメージを有するいくつかの異なる表示モードを生成する。コントローラは、さらに、異なるサイズボタンサイズイメージとタッチパネルとを関連づけ、これにより、ライダーがボタンイメージに対応する領域におけるタッチパネルに触れると、適切な制御プログラムがコントローラによって実行される。【選択図】      図３
2005324786.tif 000002
【特許請求の範囲】
【請求項１】
複数のビジュアルイメージを生成するように構成される表示スクリーンと、
接触時に選択信号を出力する前記表示スクリーンの少なくとも一部に重ねて配置されるタッチパネル入力ユニットと、
１つ又は複数のタッチセンサへの接触によって生成される前記選択信号に応じて前記表示スクリーンに表示される複数の表示モードを生成するために前記ビジュアルイメージを選択的に制御するよう構成されるコントローラと、
を備えるサイクルコンピュータ表示装置であって、
前記コントローラは、少なくとも１つの第１ボタンイメージを前記表示スクリーンに選択的に表示し、第１表示モードの前記第１ボタンイメージに対応する前記タッチパネル入力ユニットの第１センサ領域を選択的に規定するように、さらに構成されており、
前記コントローラは、少なくとも１つの第２ボタンイメージを前記表示スクリーンに選択的に表示し、第２表示モードの前記第２ボタンイメージに対応する前記タッチパネル入力ユニットの第２センサ領域を選択的に規定するように、さらに構成されており、
前記第１センサ領域は、前記第２表示モードの前記第２ボタンイメージを規定する前記第２センサ領域とは異なるサイズ領域を規定する、前記第１表示モードの前記第１ボタンイメージを規定する、
サイクルコンピュータ表示装置。
【請求項２】
前記コントローラは、前記第１ボタンイメージへの接触によって生成される前記選択信号に応じて前記第２表示モードを表示するようにさらに構成される、
請求項１に記載のサイクルコンピュータ表示装置。
【請求項３】
前記コントローラは、前記第１表示モードにおいて複数の前記第１ボタンイメージを選択的に表示するようにさらに構成される、
請求項１又は２に記載のサイクルコンピュータ表示装置。
【請求項４】
前記コントローラは、前記第１ボタンイメージの１つへの接触によって生成される前記選択信号に応じて、前記第２表示モードを表示するようにさらに構成される、
請求項３に記載のサイクルコンピュータ表示装置。
【請求項５】
前記コントローラは、前記第１ボタンイメージへの接触によって生成される前記選択信号に応じて、異なる表示モードを表示するようにさらに構成される、
請求項１から４のいずれかに記載のサイクルコンピュータ表示装置。
【請求項６】
前記第１表示モードにおける前記第１ボタンイメージは、前記表示スクリーンの大部分を占めている、
請求項１から５のいずれかに記載のサイクルコンピュータ表示装置。
【請求項７】
前記コントローラは、前記第２表示モードにおいて複数の前記第２ボタンイメージを選択的に表示するようにさらに構成される、
請求項１から６のいずれかに記載のサイクルコンピュータ表示装置。
【請求項８】
前記第１表示モードは、前記第２表示モードにおける前記第２ボタンイメージの総数より多い前記第１ボタンイメージの総数を有する、
請求項１から７のいずれかに記載のサイクルコンピュータ表示装置。
【請求項９】
前記第１表示モードにおける前記第１ボタンイメージは、前記表示スクリーンの大部分を占めており、
前記第１表示モードにおける前記第２ボタンイメージは、前記表示スクリーンの大部分を占めている、
請求項１から８のいずれかに記載のサイクルコンピュータ表示装置。
【請求項１０】
前記コントローラは、前記第１表示モードにおける少なくとも１つの前記第１ボタンイメージによって規定された領域内に環境データを表示するようにさらに構成される、
請求項３に記載のサイクルコンピュータ表示装置。
【請求項１１】
前記コントローラは、前記第１ボタンイメージへの接触によって生成される前記選択信号に応じて、前記第２表示モードを表示するようにさらに構成される、
請求項１０に記載のサイクルコンピュータ表示装置。
【請求項１２】
前記コントローラは、前記第２表示モードにおける少なくとも１つの前記第２ボタンイメージによって規定された領域内に環境データを表示するようにさらに構成される、
請求項１０又は１１に記載のサイクルコンピュータ表示装置。
【請求項１３】
前記コントローラは、前記第２ボタンイメージの１つへの接触に応じて前記第２ボタンイメージの前記領域内の前記環境データを変更するようにさらに構成される、
請求項１２に記載のサイクルコンピュータ表示装置。
【請求項１４】
前記コントローラは、前記第２表示モードにおいて前記第２ボタンイメージの他の１つに表示された１つ又は複数の前記環境データに基づいて、前記第２ボタンイメージの１つへの接触に応じて、前記第２ボタンイメージの前記領域内に次に表示される前記環境データを選択するようにさらに構成される、
請求項１３に記載のサイクルコンピュータ表示装置。
【発明の詳細な説明】
【技術分野】
【０００１】
本発明は、概して、自転車のサイクルコンピュータ表示装置に関する。より詳細には、本発明は、タッチスクリーンを有するサイクルコンピュータ表示装置に関する。
【背景技術】
【０００２】
自転車に乗ることは、移動の手段であるととともに、レクレーションの形態としてもますます人気が高まっている。また、自転車に乗ることは、プロ・アマを問わず、競技スポーツとしても人気が高い。レクレーション、移動、競技の用途に関わらず、自転車産業において、種々の自転車部品は常に改良が続けられている。
【０００３】
近年、ライダーにとってライディングをより簡単かつ楽しいものとするために、自転車には電気部品が装備されてきている。その中には、サイクルコンピュータあるいは制御ユニットによってライディングコンディションに応じて自動的に調整されるシフトユニットを装備している自転車がある。特に、フロントおよびリアディレーラは、近年になって自動化されてきている。また、様々な電子装置が、ディレーラを制御したりライダーに情報を提供したりする目的の１つ以上の操作パラメータを決定するために用いられる。このように、自転車のサイクルコンピュータ又は制御ユニットは、ライダーへ情報を提供するだけでなく、自転車の種々のコンポーネントを制御する。
【発明の開示】
【発明が解決しようとする課題】
【０００４】
以上の点から、本開示によって、サイクルコンピュータ表示装置の改良に対する必要性があるということが、本技術に精通するものに明らかにされる。本発明は、この必要性だけでなく他の必要性をも示しており、これらの必要性が、本開示によって本技術に精通するものに明らかにされる。
【０００５】
本発明の目的は、比較的使いやすいサイクルコンピュータ表示装置を提供することにある。
【課題を解決するための手段】
【０００６】
以上の目的は、基本的に、表示スクリーンと、タッチパネル入力ユニットと、コントローラと、を備えるサイクルコンピュータ表示装置を提供することによって達成できる。表示スクリーンは、複数のビジュアルイメージを生成するように構成される。タッチパネル入力ユニットは、接触時に選択信号を出力する表示スクリーンの少なくとも一部に重ねて配置される。コントローラは、タッチパネル入力ユニットに接触することによって生成される選択信号に応じて表示スクリーンに表示される複数の表示モードを生成するために、ビジュアルイメージを選択的に制御するように構成される。また、コントローラは、少なくとも１つの第１ボタンイメージを表示スクリーンに選択的に表示するように構成され、第１表示モードの第１ボタンイメージに対応するタッチパネル入力ユニットの第１センサ領域を選択的に規定するように構成される。さらに、コントローラは、少なくとも１つの第２ボタンイメージを表示スクリーンに選択的に表示するように構成され、第２表示モードの第２ボタンイメージに対応するタッチパネル入力ユニットの第２センサ領域を選択的に規定するように構成される。第１表示モードの第１ボタンイメージを規定する第１センサ領域は、第２表示モードの第２ボタンイメージを規定する第２センサ領域とは異なるサイズ領域を規定する。
【発明の効果】
【０００７】
本発明では、サイクルコンピュータ表示装置が、表示スクリーンとタッチパネル入力ユニットとコントローラとを備えている。このサイクルコンピュータ表示装置においては、第１表示モードの第１ボタンイメージに対応する第１センサ領域が、第２表示モードの第２ボタンイメージに対応する第２センサ領域とは異なるサイズ領域になるように、第１センサ領域および第２センサ領域を設定することができる。このように、表示モードごとにサイズの異なるセンサ領域を設定できるようにすることによって、サイズの異なるボタンイメージから様々な命令を入力することができるようになる。これにより、サイクルコンピュータ表示装置をより利便性の良いものにすることができる。
【０００８】
本発明の、これらおよび他の、目的、特徴、態様、利点は、添付の図面を参照することにより、本発明の好ましい態様を開示する以下の説明から当業者に明らかにされる。
【０００９】
当開示の一部をなす添付の図面を参照しながら以下に説明を行う。
【発明を実施するための最良の形態】
【００１０】
本発明にかかる実施例を図面を用いて説明する。以下の本発明にかかる実施例の説明は単なる例示であって、添付の特許請求の範囲およびこれらの均等物によって決められる本発明を限定するものではないことは、本開示から当業者には明らかになるであろう。
【００１１】
まず、図１には、サイクルコンピュータ表示装置１２を備える自転車１０が示されている。自転車１０のこれらの部品は既知の技術ものであるので、これらの部品は、本発明と組み合わせて用いるために変更されたものを除いて、ここでは詳細に説明又は例示を行わない。また、ここで説明および／又は例示が行われない種々の従来の自転車部品は、本発明と組み合わせて使用することができる。
【００１２】
図１および図２に示すように、サイクルコンピュータ表示装置１２は、マグネット１６を検出するホイール回転センサ１４と、左側クランクアームのマグネット（図示せず）を検出するクランク回転センサ１８と、モータ駆動フロントディレーラ１９と、モータ駆動リアディレーラ２０と、に機能的に連結される。
【００１３】
図３には、本発明の自転車用電子制御変速機のブロック図が示されている。フロントディレーラおよびリアディレーラ１９，２０は、電気シフトケーブルを介して１組の電子シフター２２，２３に電気的に接続される電子コントローラすなわち制御ユニット２１  によって作動される。このように、フロントディレーラおよびリアディレーラ１９，２０は、ライダーがシフトボタンを押込むことによって作動され、これによって、チェーンＣを、自転車ドライブトレインの、フロントスプロケットすなわちチェーンホイールとリアギアとの間で、移動させる。それぞれの電子シフター２２，２３には、電子コントローラ２１に機能的に連結される１組のシフトボタンが配置されていることが好ましい。１組のシフトボタンは、米国特許６，０７３，７３０号（出願人、シマノ株式会社）および米国特許６，２１２，０７８号（出願人、シマノ株式会社）にかかるシフトボタンであることが好ましい。もちろん、電子コントローラ２１は、電子シフター２２，２３のモードスイッチを押すことにより起動されるフロントおよびリアの自動制御シフトプログラムを有していることが好ましい。
【００１４】
電子コントローラ２１は、シフト制御プログラムおよび表示プログラムなど種々の制御プログラムを有するマイクロコンピュータ２４を好ましくは備える処理機構である。また、電子コントローラ２１は、入力インタフェース回路や出力インタフェース回路のような他の従来の部品、およびＲＯＭ（読出し専用メモリ）装置およびＲＡＭ（ランダムアクセスメモリ）装置のような記憶装置２５を備えることができる。電子コントローラ２１の内部ＲＡＭは、動作上のフラグの状態および種々の制御データを記憶する。また、コントローラ２１は、ＬＣＤディスプレイ２６を有している。ＬＣＤディスプレイ２６はタッチパネル入力ユニット２７を有しており、タッチパネル入力ユニット２７はＬＣＤディスプレイ２６を覆っている。
【００１５】
図４および図５に示すように、タッチパネル入力ユニットすなわちタッチパネル入力装置２７は、基本的に、透光性フィルム２８と、第１透光性抵抗層２９と、第２透光性抵抗層３０と、ガラス基板３１と、所定の隙間を形成するために第２の透光性抵抗層３０の上面に配置される複数のドットスペーサ３２とを備える。透光性フィルム２８および透光性抵抗層２９は、抵抗層２９，３０が互いに接触できるように、指あるいは物によって押されたときに容易に曲がるか容易にその形状を変えるといった十分な柔軟性を有している。以下に説明するように、ドットスペーサ３２は、複数のタッチセンサ領域３３を形成するようにグリッド状パターンで配置される。これらのタッチセンサ領域３３は、タッチパネルボタンを規定するために選択的にグループ化される。以下の説明から明らかにされるように、タッチセンサ領域３３のグループ化は表示モードに応じて変更される。タッチパネルは既知の技術のものであるので、タッチパネル入力ユニット２７については、ここでは詳細な説明又は例示が行われていない。タッチセンサには、静電容量方式、抵抗膜方式、表面弾性波方式（Ｓｕｒｆａｃｅ  Ａｃｏｕｓｔｉｃ  Ｗａｖｅ，ＳＡＷ）あるいは接地弾性波方式（Ｇｒｏｕｎｄｅｄ  Ａｃｏｕｓｔｉｃ  Ｗａｖｅ，ＧＡＷ）を採用することができる。また、ディスプレイ２６は液晶ディスプレイ（ＬＣＤ）であることが好ましいが、他のタイプのディスプレイを用いることができることは、本開示から当業者には明らかになるであろう。
【００１６】
次に、図６から図９を参照すると、サイクルコンピュータ表示装置１２の表示スクリーンは、コントローラによって送信された信号に応じて、複数のビジュアルイメージを生成する。最初にサイクルコンピュータ表示装置１２が起動されると、図６から図９に示すように、ホーム画面すなわちホームメニュー（ＨＯＭＥ  ＭＥＮＵ）表示モードが表示スクリーンに生成される。表示スクリーンに生成されたビジュアルイメージは、表示スクリーンの全領域を最大限に活用することが好ましい。コントローラは管理プログラムを有し、この管理プログラムによって、ライダーはレイアウトをカスタマイズすることができ、表示されるデザインをライダーの好みのものにすることができるようにすることが好ましい。
【００１７】
第１表示モードにおいては、メニュー画面が表示スクリーンに表示される。一般的に、メニュー画面は、ライダーに選択される多くのボタンすなわち選択ボタンを有している。例示の実施例においては、７つのボタンイメージが提供されており、ライダーが表示スクリーンに重ねられたタッチパネル入力ユニットに接触すると、選択信号がコントローラに出力され、コントローラは適切な制御プログラムを実行する。例示の実施例においては、ボタンイメージとしては、サイクルメータボタンイメージと、フロントディレーラ制御ボタンイメージと、リアディレーラ制御ボタンイメージと、ランボタンイメージと、機能設定ボタンイメージと、メインセットアップボタンイメージと、状況表示ボタンイメージとが用意されている。
【００１８】
ホームメニュー（ＨＯＭＥ  ＭＥＮＵ）表示モードにおいては、状況表示ボタンイメージが、状況表示ボタンイメージの領域内に環境データを含んでいる。例示の実施例においては、状況表示ボタンイメージは、通常、デジタル時計を表示する。ここで用いられる、「環境データ」という語は、自転車、ライダー、又はライディングのコンディションなどに関するデータと相関があるイメージを含んでいる。一般的には、環境データは、記録／記憶されたいずれかのデータあるいは現在検出されているデータのことである。
【００１９】
ライダーが状況表示ボタンイメージを押すと、状況表示ボタンイメージを規定する領域のみが変更されることが好ましい。詳細には、状況表示ボタンイメージが押されたときに、状況表示ボタンイメージが、図６から図９に示すように、時計ディスプレイ、バッテリデータ、温度データ、および気圧計データの間でトグルされるように、すなわち切り換えられるように、状況表示ボタンイメージの領域内の環境データを変更する。
【００２０】
サイクルメータ（ＣＹＣＬＥ  ＭＥＴＥＲ）ボタンイメージが押されると、スクリーン表示は完全にサイクルメータ表示モードに変更される。サイクルメータ（ＣＹＣＬＥ  ＭＥＴＥＲ）表示モードにおいて、コントローラ２１は、表示スクリーン上の複数のビジュアルイメージを生成するよう構成される。表示スクリーン上の複数のビジュアルイメージは、リターンボタンイメージに加えて、速度、ケイデンスおよび時間のイメージを含んでいることが好ましい。サイクルメータ（ＣＹＣＬＥ  ＭＥＴＥＲ）表示モードにおいて、表示されている環境データを変更するためには、ユーザは、表示データ近くの領域に触れることになる。例えば、時間は、変更しようとする表示データの領域に触れることにより、バッテリデータ、温度データあるいは気圧計データとの間でトグルされる、すなわち切換られる。同様に、速度データは、変更しようとする表示データの領域に触れることにより、平均速度、最高速度、オドメータ読み込み等のような他のデータに切換えられる、すなわちトグルされる。
【００２１】
ライダーがフロントディレーラ制御ボタンイメージを押すと、図１１に示すように、コントローラは、表示スクリーンを、ホームメニュー（ＨＯＭＥ  ＭＥＮＵ）表示モードからフロントディレーラコントロール（ＦＲＯＮＴ  ＤＥＲＡＩＬＬＥＵＲ  ＣＯＮＴＲＯＬ）表示モードに切換える。フロントディレーラコントロール（ＦＲＯＮＴ  ＤＥＲＡＩＬＬＥＵＲ  ＣＯＮＴＲＯＬ）表示モードにおいて、２つの自動モードボタンイメージが生成され、１つのリターンボタンイメージが生成される。それぞれのボタンイメージは、コントローラがフロントディレーラコントロール（ＦＲＯＮＴ  ＤＥＲＡＩＬＬＥＵＲ  ＣＯＮＴＲＯＬ）表示モードのそれぞれのボタンイメージに対応するタッチパネル制御ユニットのセンサ領域を選択的に規定する、タッチパネルユニットの選択された領域に重ねて配置される。このように、ライダーが、ボタンイメージの１つに対応する領域においてタッチパネル入力ユニットを押すと、コントローラが適切な制御プログラムを実行する。フロントディレーラコントロール（ＦＲＯＮＴ  ＤＥＲＡＩＬＬＥＵＲ  ＣＯＮＴＲＯＬ）表示モードにおけるボタンイメージの１つはリターンボタンイメージを有しており、リターンボタンイメージがライダーによって押されると、コントローラが表示スクリーンをホームメニュー（ＨＯＭＥ  ＭＥＮＵ）表示モードに復帰させる。
【００２２】
再び図６を参照すると、ライダーがリアディレーラ制御ボタンイメージを押すと、図１２に示すように、コントローラは、表示スクリーンを、リアディレーラコントロール（ＲＥＡＲ  ＤＥＲＡＩＬＬＥＵＲ  ＣＯＮＴＲＯＬ）表示モードに切換える。フロントディレーラコントロール（ＦＲＯＮＴ  ＤＥＲＡＩＬＬＥＵＲ  ＣＯＮＴＲＯＬ）表示モードと同様に、リアディレーラコントロール（ＲＥＡＲ  ＤＥＲＡＩＬＬＥＵＲ  ＣＯＮＴＲＯＬ）表示モードは、ライダーが選択するための２つの自動モードボタンイメージを含む。ライダーが、ボタンイメージの領域におけるタッチパネル入力ユニットを押すことでこれらのボタンイメージの１つを選択すると、コントローラは、コントローラによって検出された種々のパラメータに応じてリアディレーラへの適切な制御プログラムを実行する。
【００２３】
再び図６を参照すると、ライダーがランボタンイメージを押すと、図１３に示すように、コントローラは、表示スクリーンを、ホームメニュー（ＨＯＭＥ  ＭＥＮＵ）表示モードからラン（ＲＵＮ）表示モードに切換える。ラン（ＲＵＮ）表示モードにおいて、４つのボタンイメージＡ〜Ｄが生成される。４つのボタンイメージのうちの３つは環境データを有しており、これら環境データは、全体のスクリーン表示を変更することなく変更が可能になっている。
【００２４】
ボタンイメージＡは、図１４に示すように、複数のデータ表示間で切換え可能であることが好ましい。つまり、ライダーがボタンイメージＡを押した場合、環境データが図１４に示すように変更されることを除いて、ラン（ＲＵＮ）表示モードはそのままで変わらない。環境データは、速度データ表示から、ケイデンスデータ表示、速度／ケイデンスデュアル表示および心拍数データ表示に変更できることが好ましい。もちろん、必要および／または要望に応じて、データ表示のいずれかを省略したり、追加的なデータ表示を加えたりすることはできる。例えば、図１４に示すように、心拍数モニタがサイクルコンピュータ表示装置１２に接続されていないと電子コントローラ２１が判断した場合、心拍数データ表示をスキップすることができる。この表示は、ボタンイメージＡを押す毎に各環境データ間で切り換えるすなわちトグルさせるように、設定することができる。あるいは、各データ表示が次の環境データに移行する前に各タイプの環境データで所定時間止まりながら、種々のデータ表示間で自動的に循環するように、表示を設定することもできる。
【００２５】
ラン（ＲＵＮ）表示モードのボタンイメージＢは、図１５に示すように、種々の環境データ表示間でトグルされる、すなわち切換えられるようにすることが好ましい。環境データは、時計表示から、速度データ表示、ケイデンスデータ表示、平均速度データ表示、最高速度データ表示および心拍数データ表示に変更できることが好ましい。また、ボタンイメージＡに生成されている環境データに基づいて、ボタンイメージＢに生成されている環境表示が実行される。例えば、速度データがボタンイメージＡにおいて生成されて表示されている場合、ライダーがボタンイメージＢを押したとしても、ボタンイメージＢは速度データ表示を表示しない。ケイデンスデータがボタンイメージＡにおいて生成されて表示されている場合、ライダーがボタンイメージＢを押したとしても、ボタンイメージＢはケイデンスデータ表示を表示しない。同様に、デュアルメータ表示（速度とケイデンス）がボタンイメージＡにおいて生成されて表示されている場合、ライダーがボタンイメージＢを押したとしても、ボタンイメージＢにおける環境データの表示は速度データおよびケイデンスデータ表示の表示をスキップする。もちろん、必要および／または要望に応じて、データ表示のいずれかを省略したり、追加的なデータ表示を加えたりすることはできる。例えば、図１５に示すように、心拍数モニタがサイクルコンピュータ表示装置１２に接続されていないと電子コントローラ２１が判断したとき、心拍数データ表示をスキップすることができる。ボタンイメージＡ内におけるデータ表示と同様に、ボタンイメージＢ内におけるデータ表示は、ボタンイメージＢを押す毎に各環境データ間で切り換えるすなわちトグルさせるように設定することができる。あるいは、各データ表示が次の環境データに移行する前に各タイプの環境データで所定時間止まりながら、種々のデータ表示間で自動的に循環するように、表示を設定することもできる。
【００２６】
ボタンイメージＣに関して、３つの異なるタイプの環境データがボタンイメージＣの領域にコントローラによって生成されることが好ましい。例えば、ボタンイメージＣがライダーによって触れられるとき、環境データは、オドメータデータ、距離データおよび時間の間で切換えられる、すなわちトグルされる。
【００２７】
図１７に示すように、ラン（ＲＵＮ）表示モードのボタンイメージＤに触れることによって、ラン（ＲＵＮ）表示モードをファンクションセッティング（ＦＵＮＣＴＩＯＮ  ＳＥＴＴＩＮＧ）モードに変更することができる。
【００２８】
図１７を参照すると、ファンクションセッティング（ＦＵＮＣＴＩＯＮ  ＳＥＴＴＩＮＧ）表示モードには、ホームメニュー（ＨＯＭＥ  ＭＥＮＵ）表示モードあるいはラン（ＲＵＮ）表示モードのいずれかからも、適切なボタンイメージを押すことにより、アクセスすることができる。ファンクションセッティング（ＦＵＮＣＴＩＯＮ  ＳＥＴＴＩＮＧ）表示モードにおいて、コントローラは、３つのボタンイメージ、例えば、データクリアボタンイメージ、バック（戻る）ボタンイメージおよびクローズ（閉じる）／ホームボタンイメージを生成する。データクリアボタンイメージが押されると、コントローラは、図１８に示すように、セレクトクリアデータ（ＳＥＬＥＣＴ  ＣＬＥＡＲ  ＤＡＴＡ）表示モードに切り換える。表示スクリーンがセレクトクリアデータ（ＳＥＬＥＣＴ  ＣＬＥＡＲ  ＤＡＴＡ）表示モードを生成するとき、種々のあらかじめ記憶されたデータに対応する４つのボタンイメージが表示される。これらのボタンのいずれか１つが触れられると、クリア（ＣＬＥＡＲ）表示モードが、２つのボタンイメージおよび「データクリアオーケー？（ＤＡＴＡ  ＣＬＥＡＲ  ＯＫ？（データをクリアしますか？））」というライダーへの確認イメージとともに、表示スクリーンに生成される。ＣＬＥＡＲ表示モードは、イエス（ＹＥＳ）ボタンおよびノー（ＮＯ）ボタンを含む。イエス（ＹＥＳ）ボタンイメージが触れられた場合、特定のデータを記憶するコントローラにおけるメモリがクリアされ、表示スクリーンがファンクションセッティング（ＦＵＮＣＴＩＯＮ  ＳＥＴＴＩＮＧ）表示モードに戻る。ノー（ＮＯ）ボタンイメージが触れられた場合、データはクリアされず、表示スクリーンがファンクションセッティング（ＦＵＮＣＴＩＯＮ  ＳＥＴＴＩＮＧ）表示モードに戻る。
【００２９】
図１７を参照すると、ファンクションセッティング（ＦＵＮＣＴＩＯＮ  ＳＥＴＴＩＮＧ）表示モードのバックボタンイメージが押されると、表示スクリーンはすぐ前のスクリーン、例えば、図１３に示すラン（ＲＵＮ表示モード）に戻る。一方、クローズ／ホームボタンイメージに触れると、スクリーン表示は、図６に示したようなホームメニュー（ＨＯＭＥ  ＭＥＮＵ）表示モードに戻る。
【００３０】
再び図６を参照すると、メインセットアップボタンイメージが押されると、図２０に示すように、コントローラはスクリーン表示を、ホームメニュー（ＨＯＭＥ  ＭＥＮＵ）表示モードからメインセットアップ（ＭＡＩＮ  ＳＥＴＵＰ）表示モードに切換える。メインセットアップ（ＭＡＩＮ  ＳＥＴＵＰ）表示モードにおいては、４つのボタンイメージが生成される。コントローラは、タッチパネル入力ユニットをボタンイメージと関連付ける。つまり、ライダーがボタンイメージに対応する領域でタッチパネルユニットに触れたときに、コントローラが適切な制御プログラムを実行できるように、ボタンイメージに対応するタッチパネル入力ユニットのセンサ領域は、コントローラによって設定される。
【００３１】
例示の実施例において、メインセットアップ（ＭＡＩＮ  ＳＥＴＵＰ）表示モードは、時計セットボタンイメージと、ホイールサイズボタンイメージと、ツールイメージと、クローズ／メニューボタンイメージとを含む。ライダーが時計セットボタンイメージに触れると、コントローラは、メインセットアップ（ＭＡＩＮ  ＳＥＴＵＰ）表示モードから、セットクロック（ＳＥＴ  ＣＬＯＣＫ）表示モードに切換える。セットクロック（ＳＥＴ  ＣＬＯＣＫ）表示モードでは、５つのボタンイメージが時計の変更および設定のために生成される。ボタンイメージには、アワー（ＨＯＵＲ（時間））ボタンイメージと、ミニュット（ＭＩＮＵＴＥ（分））ボタンイメージと、アップ（ＵＰ）ボタンイメージと、ダウン（ＤＯＷＮ）ボタンイメージと、セット／リターン（ＳＥＴ／ＲＥＴＵＲＮ）ボタンイメージとが含まれていることが好ましい。アワー（ＨＯＵＲ）ボタンイメージが触れられると、表示されているデジタル時計の時間の部分が点滅を始める。ここで、アップ（ＵＰ）ボタンイメージあるいはダウン（ＤＯＷＮ）ボタンイメージを押すことにより、時計イメージの時間の部分が変更される。所望の時間に達すると、ライダーは、セット／リターン（ＳＥＴ／ＲＥＴＵＲＮ）ボタンイメージを押して、コントローラのメモリに時計の新しい時間を記憶させる。同様に、時計の分の部分は、まずミニュット（ＭＩＮＵＴＥ）ボタンイメージを押すことにより設定することができる。ミニュット（ＭＩＮＵＴＥ）ボタンイメージに触れることによって、表示スクリーンの分データは点滅し始める。ここで、ユーザがアップ（ＵＰ）ボタンイメージあるいはダウン（ＤＯＷＮ）ボタンイメージに触れると、表示されている分の設定が調整される。最後に、セット／リターン（ＳＥＴ／ＲＥＴＵＲＮ）ボタンイメージに触れることにより、ライダーは、新しい分を設定すなわち記憶させる。時計が完全にセットされたときに、セット／リターン（ＳＥＴ／ＲＥＴＵＲＮ）ボタンイメージを再度押すことにより、セットクロック（ＳＥＴ  ＣＬＯＣＫ）表示モードがメインセットアップ（ＭＡＩＮ  ＳＥＴＵＰ）表示モードに切換わる。
【００３２】
ホイールサイズボタンイメージに触れると、コントローラは、スクリーン表示を、メインセットアップ（ＭＡＩＮ  ＳＥＴＵＰ）表示モードからセットホイールサイズ（ＳＥＴ  ＷＨＥＥＬ  ＳＩＺＥ）表示モードに切換える。セットホイールサイズ（ＳＥＴ  ＷＨＥＥＬ  ＳＩＺＥ）表示モードにおいて、表示スクリーンは、３つのボタンイメージと、自転車のホイールサイズの現在の設定の表示イメージとを有する。アップ（ＵＰ）ボタンイメージあるいはダウン（ＤＯＷＮ）ボタンイメージに触れることにより、ライダーは、表示スクリーンに表示されたデータを調整することができる。セット／リターン（ＳＥＴ／ＲＥＴＵＲＮ）ボタンイメージを押すことにより、ホイールサイズの新しい設定がセットされる。セット／リターン（ＳＥＴ／ＲＥＴＵＲＮ）ボタンイメージが２回目に押されると、コントローラは、セットホイールサイズ（ＳＥＴ  ＷＨＥＥＬ  ＳＩＺＥ）表示モードからメインセットアップ（ＭＡＩＮ  ＳＥＴＵＰ）表示モードに切り換える。
【００３３】
ライダーがツールボタンイメージを押すと、コントローラは、メインセットアップ（ＭＡＩＮ  ＳＥＴＵＰ）表示モードからツール（ＴＯＯＬＳ）表示モードに切り換える。ツール（ＴＯＯＬＳ）表示モードにおいて、コントローラは４つのボタンイメージを生成する。ツール（ＴＯＯＬＳ）表示モードは、ディスプレイデザインボタンイメージと、サウンドボタンイメージと、データビューボタンイメージと、クローズ／メニューボタンイメージとを含む。これらのボタンイメージのいずれか１つに触れると、コントローラは、表示スクリーンを、ツール（ＴＯＯＬＳ）表示モードから異なる表示モードに切換える。
【００３４】
ライダーがディスプレイデザインボタンイメージに触れると、コントローラは、表示スクリーンを、ツール（ＴＯＯＬＳ）表示モードから、ライダーが異なるディスプレイデザインを選択することができるディスプレイデザイン（ＤＩＳＰＬＡＹ  ＤＥＳＩＧＮ）表示モードに切換える。詳細には、ディスプレイデザイン（ＤＩＳＰＬＡＹ  ＤＥＳＩＧＮ）表示モードは、選択可能な様々なディスプレイデザインを有する。詳細には、ディスプレイデザイン（ＤＩＳＰＬＡＹ  ＤＥＳＩＧＮ）表示モードは、ライダーが新しいディスプレイデザインを選択してセットすることができる２つのボタンイメージを有する。ライダーが選択ボタンイメージに触れると、新しい選択対象を指し示すように表示が変更される。例えば、三角形が、種々の選択対象間で垂直に移動する。適切な選択対象がマークされ、ライダーがセット／リターン（ＳＥＴ／ＲＥＴＵＲＮ）ボタンイメージに触れると、新しいディスプレイデザインがセットされる。ライダーがセット／リターン（ＳＥＴ／ＲＥＴＵＲＮ）ボタンイメージに再度触れると、ディスプレイデザイン（ＤＩＳＰＬＡＹ  ＤＥＳＩＧＮ）表示モードがツール（ＴＯＯＬＳ）表示モードに切換わる。
【００３５】
ライダーがツール表示モードのサウンドボタンイメージを選択すると、コントローラは、ツール（ＴＯＯＬＳ）表示モードから、ディスプレイデザイン（ＤＩＳＰＬＡＹ  ＤＥＳＩＧＮ）表示モードと同様に動作するサウンド（ＳＯＵＮＤ）表示モードに切換わる。ボタンイメージが触れられるごとに、選択された音の１つが聞こえることが好ましい。
【００３６】
図２３を参照して、ライダーがツール（ＴＯＯＬＳ）表示モードのデータビューボタンイメージに触れると、コントローラは、検討するデータビューの所望のデータを設定するためのデータビュー（ＤＡＴＡ  ＶＩＥＷ）表示モード（図２６）に切り換える。また、データビュー（ＤＡＴＡ  ＶＩＥＷ）表示モードは、ディスプレイデザイン（ＤＩＳＰＬＡＹ  ＤＥＳＩＧＮ）表示モードおよびサウンド（ＳＯＵＮＤ）表示モードと同様に動作する。したがって、ここでは、データビュー（ＤＡＴＡ  ＶＩＥＷ）表示モードについて詳細には説明しない。
【００３７】
データビューの１つが選択されると、記録された履歴表示スクリーンが、図２７に示すように、特定のデータに対して生成される。
【００３８】
ここで使用されている「ほぼ」、「約」、「おおよそ」などの程度を表す用語は、最終結果が著しく変化しないような、妥当な量の偏差を有する修正用語である。これらの用語は、この偏差が修正対象の用語の意味を無効にしない範囲で、±５％から１０％の偏差を含むものと解釈される。
【００３９】
本発明の説明のためにいくつかの実施例が選択されただけであって、添付の特許請求の範囲に記載された本発明の範囲を逸脱することがない範囲で、種々の変更、変形ができることは、本開示から当業者には明らかであろう。さらに、前述の本発明にかかる実施例の説明は単なる例示であって、添付の特許請求の範囲およびそれらの均等物によって定められる本発明を限定するものではないことは、本開示から当業者には明らかであろう。
【図面の簡単な説明】
【００４０】
【図１】図１は、本発明にかかる、サイクルコンピュータ表示装置を備える自転車の側面立面図である。
【図２】図２は、本発明にかかるサイクルコンピュータ表示装置を有する、図１に示した自転車のハンドル領域の部分的なトップ部の斜視図である。
【図３】図３は、本発明にかかるサイクルコンピュータ表示装置を有する、自転車用電子制御変速機のブロック図である。
【図４】図４は、本発明にかかるサイクルコンピュータ表示装置のタッチスクリーンの概略的な上面図である。
【図５】図５は、図４の切断線５−５に沿って見た、サイクルコンピュータ表示装置のタッチスクリーンの概略的な断面図である。
【図６】図６は、本発明にかかるサイクルコンピュータ表示装置のホームメニュー（ＨＯＭＥ  ＭＥＮＵ）表示モードに対応する表示スクリーンである。
【図７】図７は、図６と同様であるがバッテリデータが表示されている、本発明にかかるサイクルコンピュータ表示装置のホームメニュー（ＨＯＭＥ  ＭＥＮＵ）表示モードに対応する表示スクリーンである。
【図８】図８は、図６と同様であるが温度データが表示されている、本発明にかかるサイクルコンピュータ表示装置のホームメニュー（ＨＯＭＥ  ＭＥＮＵ）表示モードに対応する表示スクリーンである。
【図９】図９は、図６と同様であるが気圧データが表示されている、本発明にかかるサイクルコンピュータ表示装置のホームメニュー（ＨＯＭＥ  ＭＥＮＵ）表示モードに対応する表示スクリーンである。
【図１０】図１０は、本発明にかかるサイクルコンピュータ表示装置のサイクルメータ（ＣＹＣＬＥ  ＭＥＴＥＲ）表示モードに対応する表示スクリーンである。
【図１１】図１１は、本発明にかかるサイクルコンピュータ表示装置のフロントディレーラコントロール（ＦＲＯＮＴ  ＤＥＲＡＩＬＬＥＵＲ  ＣＯＮＴＲＯＬ）表示モードに対応する表示スクリーンである。
【図１２】図１２は、本発明にかかるサイクルコンピュータ表示装置のリアディレーラコントロール（ＲＥＡＲ  ＤＥＲＡＩＬＬＥＵＲ  ＣＯＮＴＲＯＬ）表示モードに対応する表示スクリーンである。
【図１３】図１３は、本発明にかかるサイクルコンピュータ表示装置のラン（ＲＵＮ）表示モードに対応する表示スクリーンである。
【図１４】図１４は、本発明にかかるサイクルコンピュータ表示装置のラン（ＲＵＮ）表示モードのボタンイメージＡにおいて表示される環境データに対応する表示スクリーンである。
【図１５】図１５は、本発明にかかるサイクルコンピュータ表示装置のラン（ＲＵＮ）表示モードのボタンイメージＢにおいて表示される環境データに対応する表示スクリーンである。
【図１６】図１６は、本発明にかかるサイクルコンピュータ表示装置のラン（ＲＵＮ）表示モードのボタンイメージＣにおいて表示される環境データに対応する表示スクリーンである。
【図１７】図１７は、本発明にかかるサイクルコンピュータ表示装置のファンクションセッティング（ＦＵＮＣＴＩＯＮ  ＳＥＴＴＩＮＧ）表示モードに対応する表示スクリーンである。
【図１８】図１８は、本発明にかかるサイクルコンピュータ表示装置のセレクトクリアデータ（ＳＥＬＥＣＴ  ＣＬＥＡＲ  ＤＡＴＡ）表示モードに対応する表示スクリーンである。
【図１９】図１９は、本発明にかかるサイクルコンピュータ表示装置のクリア（ＣＬＥＡＲ）表示モードに対応する表示スクリーンである。
【図２０】図２０は、本発明にかかるサイクルコンピュータ表示装置のメインセットアップ（ＭＡＩＮ  ＳＥＴＵＰ）表示モードに対応する表示スクリーンである。
【図２１】図２１は、本発明にかかるサイクルコンピュータ表示装置のセットクロック（ＳＥＴ  ＣＬＯＣＫ）表示モードに対応する表示スクリーンである。
【図２２】図２２は、本発明にかかるサイクルコンピュータ表示装置のセットホイールサイズ（ＳＥＴ  ＷＨＥＥＬ  ＳＩＺＥ）表示モードに対応する表示スクリーンである。
【図２３】図２３は、本発明にかかるサイクルコンピュータ表示装置のツール（ＴＯＯＬＳ）表示モードに対応する表示スクリーンである。
【図２４】図２４は、本発明にかかるサイクルコンピュータ表示装置のディスプレイデザイン（ＤＩＳＰＬＡＹ  ＤＥＳＩＧＮ）表示モードに対応する表示スクリーンである。
【図２５】図２５は、本発明にかかるサイクルコンピュータ表示装置のサウンド（ＳＯＵＮＤ）表示モードに対応する表示スクリーンである。
【図２６】図２６は、本発明にかかるサイクルコンピュータ表示装置のデータビュー（ＤＡＴＡ  ＶＩＥＷ）表示モードに対応する表示スクリーンである。
【図２７】図２７は、本発明にかかるサイクルコンピュータ表示装置のデータヒストリ（ＤＡＴＡ  ＨＩＳＴＯＲＹ）表示モードに対応する表示スクリーンである。
【符号の説明】
【００４１】
１０  自転車
１２  サイクルコンピュータ表示装置
１４  ホイール回転センサ
１６  マグネット
１８  クランク回転センサ
１９  モータ駆動フロントディレーラ
２０  モータ駆動リアディレーラ
２１  制御ユニット
２２，２３  電子シフター
２５  記憶装置
２６  ＬＣＤディスプレイ
２７  タッチパネル入力ユニット
２８  透光性フィルム
２９  第１透光性抵抗層
３０  第２透光性抵抗層
３１  ガラス基板
３２  ドットスペーサ
【図１】
2005324786.tif 000003
【図２】
2005324786.tif 000004
【図３】
2005324786.tif 000005
【図４】
2005324786.tif 000006
【図５】
2005324786.tif 000007
【図６】
2005324786.tif 000008
【図７】
2005324786.tif 000009
【図８】
2005324786.tif 000010
【図９】
2005324786.tif 000011
【図１０】
2005324786.tif 000012
【図１１】
2005324786.tif 000013
【図１２】
2005324786.tif 000014
【図１３】
2005324786.tif 000015
【図１４】
2005324786.tif 000016
【図１５】
2005324786.tif 000017
【図１６】
2005324786.tif 000018
【図１７】
2005324786.tif 000019
【図１８】
2005324786.tif 000020
【図１９】
2005324786.tif 000021
【図２０】
2005324786.tif 000022
【図２１】
2005324786.tif 000023
【図２２】
2005324786.tif 000024
【図２３】
2005324786.tif 000025
【図２４】
2005324786.tif 000026
【図２５】
2005324786.tif 000027
【図２６】
2005324786.tif 000028
【図２７】
2005324786.tif 000029